(57)【特許請求の範囲】
【請求項１】
磁性成分が含まれる現像剤を収容する空間が内部に形成された収容部と、その収容部の内部空間に収容する現像剤を入れるために形成された開口部と、その開口部を開閉する開閉扉とを有する現像剤取扱い構造体において、
前記開閉扉は、扉本体とこの扉本体をその一端部側に配置される軸を中心に揺動させるように支持する揺動支持部とで構成されているとともにその扉全体が前記現像剤が付着し得る磁性体で形成されており、
かつ、その扉本体が前記開口部の内側で揺動してその開口部を開閉するようにその揺動支持部を前記収容部の開口部近くの開口部分に設けられる軸に取り付けているとともに、その揺動支持部の一部をその収容部の開口部分から外側に露出させていることを特徴とする現像剤取扱い構造体。
【請求項２】
現像装置の筐体又は現像剤回収装置の現像剤回収容器として構成される請求項１に記載の現像剤取扱い構造体。
【発明の詳細な説明】
【０００１】
【発明の属する技術分野】
本発明は、主に、現像剤からなる画像を形成するプリンタ、複写機、ファクシミリ、複合機等の画像形成装置に使用される現像剤取扱い構造体に関するものである。
【０００２】
【従来の技術】
電子写真、静電記録等の画像形成方式を利用したプリンタ等の画像形成装置においては、感光体等の像担持体に形成する静電潜像を粉体状の現像剤により現像し、その画像を記録用紙等の記録媒体に直接又は中間転写体を介して転写することにより画像形成が行われるが、このような画像形成装置にあっては、例えば、その現像剤を収容して像担持体と対向する現像領域に供給する現像装置が装備されている。
【０００３】
このような現像装置としては、例えば、上記像担持体と対向する開口部と現像剤を収容する現像剤収容部とが形成された筐体（ハウジング）と、その筐体の開口部付近に回転可能に取り付けられ、現像剤収容部に収容される現像剤を担持して像担持体と対向する現像領域まで搬送する現像剤担持体とを少なくとも備え、その筐体に現像剤の補給口を形成し、その補給口から新たな現像剤を補給して入れる構成のものが知られている。ちなみに、上記現像剤収容部に収容される現像剤は、非磁性（磁性）トナー及び磁性（非磁性）キャリアからなる二成分現像剤や、磁性トナーからなる一成分現像剤である。
【０００４】
そして、このように現像剤を補給する現像装置のなかには、その現像剤の補給口にその口を開閉する開閉扉を設け、これにより筐体の現像剤収容部内にある現像剤が補給口から筐体の外に漏れ出ることを防止しているものもある。さらに、このような開閉扉を設けた現像剤の補給口を有する現像装置においては、通常、その開閉扉のうちの少なくとも補給口の周縁と当接する部位にスポンジ等の弾性材料からなるシール部材を取り付け、そのシール部材により開閉扉と補給口との間の隙間を塞いで現像剤漏れの防止効果を高めている。
【０００５】
【発明が解決しようとする課題】
ところで、このような開閉扉を設けた現像剤の補給口を有する筐体からなる現像装置にあっては、次のような課題がある。
【０００６】
まず、その開閉扉に取り付けるシール部材が経時的に劣化したり、そのシール部材の一部が開閉扉の開閉動作時等に剥がれ落ちることがあり、この結果、シール性能が低下することがあったり、現像剤の漏れを十分に防止できないことがある。また、シール部材の一部が剥がれて現像剤収容部内に落ちた場合には、その剥がれたシール部材の小さな断片等が収容部内の現像剤と混ざり合って現像領域まで搬送されたり、現像剤担持体に担持される現像剤の層厚を規制するための層厚規制部材に付着することがあり、この結果、例えば筋状の画質欠陥が発生してしまう。
【０００７】
また、このようなシール部材が取り付けられた開閉扉を設けた現像剤の補給口における課題は、この他にも、例えば、画像形成装置内で不要となった現像剤を開閉扉のある現像剤投入口を通して現像剤回収容器に回収する現像剤回収装置などにおいても同様に発生するおそれがある。
【０００８】
本発明は、このような事情に鑑みてなされたものであり、その目的とするところは、上述したような現像剤を入れる開口部に開閉扉を設けてなる現像剤取扱い構造体において、その開口部の開口周縁と開閉扉の間の隙間から現像剤（磁性成分を含むもの）が漏れ出ることを、弾性材料等のシール部材を取り付けることなく、安定して防止することができる現像剤取扱い構造体を提供することにある。
【０００９】
【課題を解決するための手段】
上記課題を解決するための本発明の現像剤取扱い構造体は、図１に概念的に示すように、磁性成分が含まれる現像剤１を収容する収容部２と、その収容部２に収容するための現像剤１を入れる開口部３と、その開口部３を開閉する開閉扉４とを有する現像剤取扱い構造体５において、前記開閉扉４のうちの少なくとも前記開口部３の開口周縁３ａと対向する部位４ａを、前記現像剤１が付着し得る磁性体で形成したことを特徴とするものである。
【００１０】
このような現像剤取扱い構造体によれば、開閉扉４の少なくとも磁性体で形成された部位４ａに磁性成分を含む現像剤１（図中の点線１ｂで示す部分）が付着し、この付着した現像剤１ｂが構造体５における開口部３の周縁３ａと開閉扉４の間の隙間Ｓを塞ぐように存在する。これにより、その隙間Ｓを通過して外に漏れ出ようとする現像剤がその進路を付着する現像剤１ｂの存在により阻まれるため、構造体５の収容部２内にある現像剤１が当該隙間Ｓから外に漏れ出ることが阻止される。
【００１１】
ここで、上記現像剤取扱い構造体における磁性成分を含む現像剤１とは、通常、非磁性トナー及び磁性キャリアからなる二成分現像剤である（この場合、磁性成分とは磁性を示すキャリアとなる）が、この他にも、磁性トナー及び非磁性キャリアからなる二成分現像剤、磁性トナーのみからなる一成分現像剤等であってもよい（この場合いずれも磁性成分とは磁性を示すトナーとなる）。また、上記開口部３は、現像剤１を収容部２に対して入れることが可能であって開閉扉４が設けられるものであればよく、その開口の形態等については特に制約されない。この開口部３は、例えば、構造体５に対して現像剤を搬送して入れるための現像剤搬送手段における開口部差込用の先端部が取り外し可能に差し込まれて使用される形態のものが有効である。
【００１２】
また、上記開閉扉４は、現像剤の開口部３を開閉して収容部２にある現像剤１が外に漏れ出すのを防止できるものであればよく、その扉形態や開閉方式等について特に制約されるものではない。その開閉方式としては、一般に、扉本体がその１端部側に配置する軸又はヒンジを中心に揺動して開閉する揺動開閉方式が多用されるが、他の開閉方式、例えば開口部３を塞ぐように移動して開閉するスライド開閉方式などを採用してもよい。図１中の符号４ｂは、揺動開閉方式の開閉扉を使用した場合の揺動支持部である。
【００１３】
また、この開閉扉４を構成する磁性体は、磁性成分が含まれる現像剤１が磁力により付着し得る磁性を有する部材であればよく、その材質等については特に限定されない。また、この磁性体で形成する開閉扉４の部位４ａは、少なくとも、その開閉扉４を閉じたときに開口部３の開口周縁３ａと対向して、その開口周縁３ａと開閉扉４の間の隙間となり得る部位である。この開閉扉４における磁性体で形成する部位４ａは、それ以外の扉部分と別の部材又は同じ部材のいずれで形成してもよい。この開閉扉４における磁性体で形成される部位４ａは、その磁束密度が２〜２０ｍＴ程度（より好ましくは５〜２０ｍＴ程度）に磁化させることが好ましい。特に、その磁束密度が２ｍＴよりも小さい場合には、その扉に現像剤１が十分に付着しなくなり、良好な現像剤漏れ防止効果が得られないおそれがある。
【００１４】
さらに、開閉扉４は、開口部３の内側に押し開かれる扉にするとよい。この場合には、開閉扉４の磁性体などに付着した現像剤１が開閉動作時等における振動や衝撃により落下するようなことがあっても、その落下する現像剤１は構造体５の収容部２に収容されることになり、開口部３から外へは漏れ出にくくなる。
【００１５】
このような本発明の現像剤取扱い構造体５は、磁性成分が含まれる現像剤１を取り扱うものであって、その現像剤１を入れる開口部３に開閉扉４を設けてなる構造体であればよく、その形態や材質等については特に制約されない、そして、このような現像剤取扱い構造体５としては、具体的に、現像剤を収容して現像領域に供給する現像装置（の筐体）や、二成分現像装置又は磁性一成分現像装置の筐体内にある古い現像剤などを回収する現像剤回収装置（の現像剤回収容器）や、画像形成装置における像担持体、中間転写体等に付着する不要な現像剤（磁性成分を含むもの）をクリーニング装置で除去して回収する現像剤回収装置（の現像剤回収容器）等が挙げられるが、これ以外のものであってもよい。
【００１６】
【発明の実施の形態】
［実施の形態１］
図２〜４は本発明の実施の形態１に係る現像剤取扱い構造体としての現像装置を示すものであり、図２はその斜視図、図３は図２のＱ−Ｑ線に沿う概略断面図、図４はその背面図及び一部分解平面図である。
【００１７】
この現像装置は、二成分現像装置であり、基本的に、筐体としてのハウジング１０と、現像剤担持体としての現像ロール１３と、層規制部材としての層規制ロール１４と、現像剤攪拌搬送部材としての２本のオーガー１５、１６と、現像剤供給部材としてのパドルホイール１７とでその主要部が構成されている。図３において、符号１００は画像情報に応じた静電潜像が形成される像担持体としての感光ドラム、１は非磁性トナー１ａ及び磁性キャリアからなる二成分現像剤、Ｅは感光ドラム１００上の現像領域であり、また、矢印は回転する部品の回転方向を示している。
【００１８】
ハウジング１０は、全体が板状に扁平した細長い箱形状からなるものであって、その上下に２分割したプラスチック成型品からなる下部ハウジング２０と上部ハウジング３０とを接合して組み立てる構造になっている。また、このハウジング１０は、その下部ハウジング２０と上部ハウジング３０を組み立てた状態において、感光ドラム１００と対向する側の端部にハウジング開口部１１が形成されるとともに、その内部に現像剤１が存在する空間１２が形成される形態になっている。
【００１９】
図２〜４において、符号２１は下部ハウジング２０側に形成された二成分現像剤１を収容する現像剤収容凹部、２１ａは現像剤収容凹部２１を平行する２列の現像剤循環搬送路を仕切るための仕切り壁、２１ｂは現像剤の循環折り返し部兼受入スペース部、２１ｄは現像剤の循環折り返し部である。１３ｃは現像ロール１３（のスリーブ１３ａ）の回転軸、現像ロール１３（のマグネットロール１３ｂ）の中心固定軸である。また、符号２６は上部ハウジング３０との組立て接合時に使用される係止突片、３６は下部ハウジング２０との組立て時おいて上記係止突片２６が差し込まれる係止孔である。さらに、符号４０、５０は、下部ハウジング２０と上部ハウジング３０を接合した後に、その両ハウジング２０、３０を一体化してなるハウジング１０の左右両端部にその外側から嵌め込んで装着することにより、両ハウジング２０、３０の接合状態を補強するための第１及び第２のサイドブラケットである。
【００２０】
また、現像ロール１３は、ハウジング開口部１１から一部露出するような状態で回転駆動可能に配置される中空円筒形状からなる非磁性のスリーブ１３ａと、このスリーブ１３ａの中空内に位置固定された状態で配置され、複数の磁極が所定の角度に適宜配置されたマグネットロール１３ｂとで構成されたものである。層規制ロール１４は、現像ロール１３（スリーブ１３ａ）の表面に担持される二成分現像剤１の層厚を所定の厚さに規制するための非磁性ロールからなるもの（非磁性ロールトリマー）であり、そのスリーブ１３ａの表面に対して当該層規制の厚さに相当する間隙をあけた状態で対向配置される。
【００２１】
また、オーガー１５、１６は、回転軸部１５ａ，１６ａに二成分現像剤１を攪拌搬送するための羽根部１５ｂ，１６ｂを螺旋状に所定のピッチで巻きつけた状態に形成した回転部材であり、下部ハウジング２０の現像剤収容凹部２１における前記２列の現像剤循環搬送路内でそれぞれ回転駆動するように配設されている。パドルホイール１７は、回転軸部に４枚の羽根部を形成した羽根車状の回転部材であり、現像ロール１３とオーガー１６の間となる位置で回転駆動するように配設されている。
【００２２】
さらに、上部ハウジング３０においては、図２〜７に示すように、その下部ハウジング２０の循環折返し兼受容れ部２１ｄと組立て接合時に対向する端部側に、現像剤補給部６０が形成されている。この現像剤補給部６０は、その全体が下部ハウジング３０の上方に隆起した中空の箱型形状からなるものであり、そのハウジング１０の背面側（ハウジング開口部１１とは反対側）に内部空間と連通する矩形状の補給口６１が開設されているとともに、その補給口６１を開閉するための開閉扉６２が設けられている。また、この補給部６０は、その使用に際しては、補給口６１に対して、トナー供給装置（図示省略）におけるトナー搬送パイプ７０の先端部に取り付けられた差込結合部７１が差し込まれて結合されるようになっている。
【００２３】
開閉扉６２は、図５〜７に示すように、補給口６１の内側において揺動するように支持されて補給口６１を開閉する形式の扉であり、基本的に、補給口６１の開口形状にほぼ相応する矩形状からなる扉本体６３と、この扉本体６３を補給口６１の側近となる上部ハウジング３０の部位に立設した回転支軸３４に差し込んだ状態で揺動可能に支持する揺動支持部６４とでその主要部が構成されている。
【００２４】
このうち、扉本体６３は、開閉扉６２を閉じた際に補給口６１の内側の周縁６１ａに当接する外周部６３ａと、開閉扉６２を閉じた際に補給口６１内に僅かに入り込むように隆起した、外周部６３ａを除く隆起部６３ｂとを有する板形状のものである。一方、揺動支持部６４は、扉本体６３の１側辺部に位置するように設けられ、上記回転支軸３４が差し込まれる軸受け孔６４ｂが形成されたほぼ円筒状の支柱部６４ａと、その支柱部６４ａの側面に扉本体６３の板面とは直交するような方向に突き出した状態で形成されたストッパー部６４ｃと、そのストッパー部６４ｃの側面に後述の引張り用コイルばね（６５）の一端を係止するための係止孔６４ｅが扉本体６３の板面と平行する方向に突出して形成されたばね取付けアーム部６４ｄとで構成されている。
【００２５】
また、開閉扉６２は、図６、７等に示すように、その扉本体６３が補給口６１の内側に位置するよう状態でもって、その揺動支持部６４を上部ハウジング３０の回転支軸３４に（支柱部６４ａにある軸受け孔６４ｂから）差し込むことにより、その回転支軸３４を中心にして揺動するように取り付けられる。また、このような揺動自在な状態に取り付けられた開閉扉６２は、引張り用コイルばね６５により、その扉本体６３が補給口６１を閉じる方向（矢印Ｇ方向）に揺動するように弾性的に付勢されるようになっている。この際、引張り用コイルばね６５は、その一端部が前記揺動支持部６４のばね取付けアーム部６４ｄ（の係止孔６４ｅ）に係止され、その他端部が上部ハウジング３０に突設された係止ピン３５に係止されている。これにより、開閉扉６２は、上部ハウジング３０の外側から内側に押した場合には、その扉本体６３が補給口６１を開ける方向（矢印Ｈ方向）に揺動して補給口６１の内側に押し開かれる仕組みになっている。
【００２６】
そして、この現像剤補給部６０における開閉扉６２は、フェライト（粉末）を含有させたナイロン等の磁性体を用いてプラスチック成形するとともに、その扉全体（扉本体６３及び揺動支持部６４）を磁場成形機により所定の磁束密度に着磁することにより形成される。この実施の形態においては、磁束密度が例えば１１ｍＴ程度となるように着磁している。
【００２７】
以上のような構成からなる現像装置は、その使用に先立って、現像剤補給部６０の補給口６１に前記したトナー供給装置におけるトナー搬送パイプ７０の差込結合部７１が差し込まれて結合される。
【００２８】
このときの差し込み結合は、図６や図７に示すように、そのトナー搬送パイプ７０の差込結合部７１の先端部を補給口６１の開閉扉６２に当てて押し込むことにより、開閉扉６２が矢印Ｈ方向に揺動して補給口６１の内側に押し開かれて補給口６１が開口し、その開口した補給口６１に差込結合部７１が差し込まれた状態で結合される。この際、開閉扉６２は、その扉本体６３が引っ張り揺コイルばね６５の付勢力に抗するように差込結合部７１により押されて９０°ほど揺動し、その揺動支持部６４におけるストッパー部６４ｃが補給部６０の補給口６１の片側にある角部６０ａに当接した状態となる。
【００２９】
このようにトナー搬送パイプ７０の差込結合部７１が現像剤補給部６０の補給口６１に差し込まれて結合されるにより、そのトナー搬送パイプ７０により搬送する補給用のトナーを補給口６１から下部ハウジング２０の循環折返し兼受容れ部２１ｄに供給することが可能となる態勢が整う。また、トナー搬送パイプ７０の差込結合部７１は、必要に応じて、補給口６１から容易に引き抜いて外すことができるようになっている。この際、その差込結合部７１が抜かれた後の補給口６１は、開閉扉６２が引っ張り揺コイルばね６５の付勢力により揺動して補給口６１を閉じるようになっている。
【００３０】
そして、この現像装置は、概略、以下のように作動する。
【００３１】
まず、ハウジング１０内において現像ロール１３、パドルホイール１７及びオーガー１５、１６が矢印方向にそれぞれ回転し始める。これにより、ハウジング１０の下部ハウジング２０における現像剤収容凹部２１に収容されている二成分現像剤１が回転するオーガー１５、１６によって攪拌されながら現像剤収容凹部２１の２列の搬送通路内を循環搬送される。この際、二成分現像剤１におけるトナーがキャリアと十分に攪拌されて摩擦帯電される。また、オーガー１６によって攪拌されながら搬送される二成分現像剤１の一部は、パドルホイール１７側に搬送供給される。
【００３２】
続いて、そのパドルホイール１７側に搬送された二成分現像剤１は、パドルホイール１７の羽根部の搬送力により現像ロール１３側に搬送供給される。このようにして現像ロール１３に供給された二成分現像剤１は、現像ロール１３のマグネットロール１３ｂからの磁力により矢印方向に回転するスリープ１３ａの表面に穂立ち状の磁気ブラシを形成するように担持された後、そのスリーブ１３ａの回転に伴って搬送される途中で層厚規制ロール１４を通過する際にほぼ一定の層厚にされてから感光ドラム１００と対向する現像領域Ｅに搬送される。
【００３３】
そして、この現像ロール１３によって現像領域Ｅに搬送された二成分現像剤１は、その磁気ブラシの先端部を感光ドラム１００の表面に接触させた状態で通過するが、その通過時に、現像ロール１３に印加される現像バイアス電圧により現像ロール１３と感光ドラム１００の間に形成される現像電界により、そのトナー１ａのみが感光ドラム１００上の静電潜像に静電的に付着する。これにより、この現像装置による静電潜像の現像が実行される。
【００３４】
また、この現像領域Ｅを通過した後の現像ロール１３に担持されている二成分現像剤１は、パドルホイール１７の近傍位置でマグネットロール１３ｂにおける剥離用磁極によりほとんどが一旦剥離された後にパドルホイール１７の搬送力により現像剤収容凹部２１に再び送り込まれ、オーガー１５、１６による再攪拌を受けた後に、現像ロール１３に再び供給される。
【００３５】
一方、このような現像装置による現像が繰り返されると、そのハウジング１０の現像剤収容部２１内にある二成分現像剤１のトナーが消費されて徐々に減少するため、現像剤補給部６０からトナーが所定のタイミングで補給される。すなわち、現像剤補給部６０の補給口６１に差し込まれたトナー搬送パイプ７０の差込結合部７０から補給用のトナーが下部ハウジング２０の循環折返し兼受容れ部２１ｄに落下して供給され、これにより、その供給されたトナーがオーガー１５等により現像剤収容凹部２１に補給されるようになっている。
【００３６】
そして、この現像装置においては、現像剤補給部６０の補給口６１にトナー搬送パイプ７０の差込結合部７１を差し込む前又は引き抜いた後に、その補給口６１が開閉扉６２により閉じられる（図６）が、この際、開閉扉６２が前記したように着磁された磁性体で形成されているため、図８に示すように、主に、その扉本体６３の内側面や外周部６３ａに、二成分現像剤１が磁性キャリアを介して穂立ち状の磁気ブラシ層（現像剤によるシール膜）を形成するように付着し、その付着した二成分現像剤１が扉本体６３の外周部６３ａと補給口６１の内側周縁６１ａとの隙間を塞ぐように存在するか又は介在するようになる。
【００３７】
これにより、扉本体６３の外周部６３ａと補給口６１の内側周縁６１ａとの間の隙間が二成分現像剤１により塞がれた状態となるため、ハウジング１０の現像剤収容凹部２１（厳密には下部ハウジング２０の循環折返し兼受容れ部２１ｄ）にある二成分現像剤１がその隙間を通してハウジング１０の外に漏れ出ることが、現像剤の存在により阻止される。このような現像剤の漏れ防止効果は、開閉扉６２に現像剤１が付着している限り継続して得られ、経時的に劣化することがほとんどない。また、このように開閉扉６２に現像剤１を付着させるということだけで現像剤漏れを防止することができるため、従来技術のように扉とは別体のシール部材を使用することがなく、これにより部品点数の削減ができ、コストダウンを図ることが可能である。しかも、かかるシール部材の断片が現像剤収容凹部２１に落下して前述したような画像欠陥が生じることを回避することも可能である。
【００３８】
また、この現像装置においては、開閉扉６２が補給口６１の内側に押し開くようになっているため、開閉扉６２の開閉時等における振動や衝撃等を受けることにより、その扉本体６２の外周部６３ａ等に付着している二成分現像剤１が落下することがあっても、下部ハウジング２０の現像剤収容凹部２１（厳密には循環折返し兼受容れ部２１ｄ）に落下することになる。これにより、扉本体６２の外周部６３ａ等に付着している二成分現像剤１が落下することがあっても、補給口６１からハウジング１０の外に漏れ出ることが回避される。
【００３９】
［他の実施の形態］
実施の形態１では、開閉扉５２の全体（扉本体６３及び揺動支持部６４）を磁性体で形成して着磁するように構成したが、その扉本体６３のみを磁性体で形成して着磁するように構成しても、あるいは、その扉本体６３の補給口６１の周縁と対向する外周部６３ａのみを磁性体で形成して着磁するように構成してもよい。なお、開閉扉６２の全体をプラスチックの磁性体で形成してその一部のみを着磁する場合には、例えば、そのプラスチック成型工程において磁場成型機により着磁する際に、その着磁しない部分を磁力線が通らないように非磁性体で覆った状態にしたうえで着磁を行うようにすればよい。
【００４０】
また、実施の形態１では、開閉扉６２として揺動開閉方式のもの使用する場合について例示したが、図９に例示するように、スライド開閉方式の開閉扉６６を使用してもよい。
【００４１】
この場合、その開閉扉６６は、例えば、前記現像剤補給部６０の補給口６１の近傍となる外側部位に設けた断面Ｌ字状のスライドガイド部材６７に取り付けられ（図９ａ）、そのスライドガイド部材６７に沿って矢印Ｊ，Ｋ方向に移動させることにより補給口６１を開閉するものとする（図９ｂ，ｃ）。そして、図９や図１０に示すように、その開閉扉６６が補給口６１を閉じているときに、開閉扉６６のうちの少なくとも補給口６１の周縁６１ａと対向する外周部６６ａを磁性体で形成して着磁するようにすればよい。図９において符号６６ｂは開閉扉６６の移動時に把持するための取っ手、図９及び図１０において符号Ｍ１、Ｍ２は補給口６１の縦及び横の幅寸法を示す。なお、この場合、補給口６１は現像剤補給部６０の上面側に開設したものであってもよい。
【００４２】
このように構成することにより、スライド開閉方式の開閉扉６６においても、その少なくとも外周部６６ａに二成分現像剤１が磁性キャリアを介して穂立ち状の磁気ブラシ層（現像剤によるシール膜）を形成するように付着し、その付着した二成分現像剤１が開閉扉６６の外周部６６ａと補給口６１の外側周縁６１ａとの間に介在するようになる。この結果、開閉扉の外周部６６ａと補給口６１の外側周縁６１ａとの間の隙間が二成分現像剤１の介在により塞がれた状態となるため、ハウジング１０の現像剤収容凹部２１にある二成分現像剤１が上記隙間を通してハウジング１０の外に漏れ出ることが阻止される。
【００４３】
【発明の効果】
以上説明したように、本発明の現像剤取扱い構造体は、現像剤を入れる開口部に開閉扉を設けてなる現像剤取扱い構造体であるが、その開閉扉の少なくとも特定の部位を磁性体で形成するようにしたので、かかる開口部の開口周縁と開閉扉の間の隙間から現像剤（磁性成分を含むもの）が漏れ出ることを、シール部材を取り付けることなく安定して防止することが可能である。
【図面の簡単な説明】
【図１】  本発明の現像剤取扱い構造体を概念的に示すもので、（ａ）はその概略正面図、（ｂ）は（ａ）のＢ−Ｂ線に沿う概略断面図。
【図２】  実施の形態１に係る現像装置を示す斜視図。
【図３】  図２のＶ−Ｖ線に沿う断面図。
【図４】  （ａ）は図２の現像装置の背面図、（ｂ）は図２の現像装置の上部ハウジングを外した状態を示す上面図。
【図５】  現像剤補給部における（揺動開閉方式の）開閉扉を示すもので、（ａ）はその斜視図、（ｂ）はその正面図、（ｃ）は（ｂ）のＣ−Ｃ線に沿う断面図。
【図６】  現像剤補給部の補給口が開閉扉により閉じられている状態（未使用の状態）を示す一部断面説明図。
【図７】  現像剤補給部の補給口が開閉扉により開けられている状態（使用状態）を示す一部断面説明図。
【図８】  補給口に対する開閉扉の要部の状態を示す説明図。
【図９】  現像剤補給部におけるスライド開閉方式の開閉扉の一例を概略的に示すもので、（ａ）はその縦方向の断面図、（ｂ）はその開口状態にある横方向の断面図、（ｃ）はその閉口状態にある横方向の断面図。
【図１０】  図９の開閉扉の構成を示すもので、（ａ）はその縦方向の要部断面図、（ｂ）はその横方向の要部断面図。
【符号の説明】
１…現像剤、２…現像剤収容部、３…開口部、３ａ…開口周縁、４…開閉扉、４ａ…開口部の開口周縁と対向する部位、５…現像剤取扱い構造体、６…突起部、１０…現像装置のハウジング、１１…ハウジング開口部、２１…現像剤収容凹部、６１…補給口、６２…揺動開閉方式の開閉扉、６６…スライド開閉方式の開閉扉。
【図１】
0003972605.tif 000002
【図２】
0003972605.tif 000003
【図３】
0003972605.tif 000004
【図４】
0003972605.tif 000005
【図５】
0003972605.tif 000006
【図６】
0003972605.tif 000007
【図７】
0003972605.tif 000008
【図８】
0003972605.tif 000009
【図９】
0003972605.tif 000010
【図１０】
0003972605.tif 000011